(57)【要約】      （修正有）【課題】飛距離がある程度でて吹矢の本来の醍醐味が味わえると共に安全性も担保できる吹矢に適した的を提供する。【解決手段】フック４と紐６と短パイプ１２により壁に取り付けられ、吹矢が飛来してきたときに袋体で吹矢を収容可能とする距離だけ壁から離間した長パイプ１０を有する的固定具４０と、長パイプで保持される的本体２と、からなる吹矢の的３０であって、的本体２には吹矢を受け入れるための孔１８、２０、２２が形成され、裏面は孔に被さるように有底状の布製の袋体が取り付けられていて、袋体は孔で受け入れられた吹矢を収容する。【選択図】図１
0003193327.tif 000002
【実用新案登録請求の範囲】
【請求項１】
吹矢の的であって、
壁に取り付けられ、当該壁から所定距離離間した保持部を有する固定具と、
前記保持部で保持されると共に表面と裏面とからなるシート状部材と、からなり、
前記シート状部材には吹矢を受け入れるための少なくとも１つの貫通孔が形成され、
前記裏面には前記貫通孔に被さるように有底状の袋体が取り付けられていて、当該袋体は前記貫通孔で受け入れられた吹矢を収容し、上記所定距離は当該吹矢が飛来してきたときに当該袋体で吹矢を収容可能とする距離からなる、
的。
【請求項２】
吹矢の的であって、
壁に取り付けられた取付具と、
前記取付具に取り付けられた吊下げ部材と、
前記取付具から前記吊下げ部材を介して吊下げられると共に脚部とフレーム部とを有し、当該脚部が壁に当接されると共に当該フレーム部が当該壁から所定距離離間した状態で当該壁と平行して位置づけられる保持具と、
前記保持具に吊されると共に表面と裏面とからなるシート状部材と、からなり、
前記シート状部材には吹矢を受け入れるための少なくとも１つの貫通孔が形成され、
前記裏面には前記貫通孔に被さるように有底状の袋体が取り付けられていて、当該袋体は前記貫通孔で受け入れられた吹矢を収容し、上記所定距離は当該吹矢が飛来してきたときに当該袋体で吹矢を収容可能とする距離からなる、
的。
【請求項３】
吹矢の的であって、
脚部とフレーム部とを有し、当該脚部が壁に取り付けられると共に当該フレーム部が当該壁から所定距離離間した状態で当該壁と平行して位置づけられる保持具と、
前記保持具に吊されると共に表面と裏面とからなるシート状部材と、からなり、
前記シート状部材には吹矢を受け入れるための少なくとも１つの貫通孔が形成され、
前記裏面には前記貫通孔に被さるように有底状の袋体が取り付けられていて、当該袋体は前記貫通孔で受け入れられた吹矢を収容し、上記所定距離は当該吹矢が飛来してきたときに当該袋体で吹矢を収容可能とする距離からなる、
的。
【請求項４】
前記シート状部材は布製である請求項１〜３のいずれか１項に記載の的。
【請求項５】
前記シート状部材は長方形からなる請求項１〜４のいずれか１項に記載の的。
【請求項６】
前記貫通孔は円形である請求項１〜５のいずれか１項に記載の的。
【請求項７】
前記シート状部材の表面において前記貫通孔の縁を同一幅で色付けし、当該色付けは当該貫通孔の等級毎に異なったものとし、同じ等級の貫通孔には同じ色で色付けする請求項１〜６のいずれか１項に記載の的。
【請求項８】
前記袋体はメッシュ状の布製材料から形成されている請求項１〜７のいずれか１項に記載の的。
【請求項９】
上記所定距離は１５ｃｍである請求項１〜８のいずれか１項に記載の的。
【考案の詳細な説明】
【技術分野】
【０００１】
本考案は、吹矢の的に関する。
【背景技術】
【０００２】
従来、競技としての吹矢や娯楽としての吹矢が行われている。
【０００３】
これらの吹矢は特許文献１に述べられるように、フィルムを円錐状に巻いてフィルムの先端に錘としてのピンを差し込んだ矢を用いて行われ、この矢を筒に入れ、筒の後端部から筒内に息を吹き込むことにより、矢を発射させてウレタン製の的に当てるものであった。
【０００４】
また、特許文献２に示されるように、どんな場所でもプレイ可能な安全性に重点をおいた吹矢として先が尖っていない吸着型吹矢を用い、これに適した的が開発されている。
【０００５】
特許文献１に記載された吹矢は本格的な吹矢であって飛距離も長いので、プレイするには的を含めて本格的な設備を要する。このため、手軽に娯楽として楽しむには向いていない。
【０００６】
特許文献２に記載された吹矢は吸着型吹矢を使用するものであるが、先端に吸着させる物体を設けると飛距離がでにくく、吹矢の本来の醍醐味が希薄になることがあった。
【先行技術文献】
【特許文献】
【０００７】
【特許文献１】特許第４９１００７４号公報
【特許文献２】特開２００８−１２１５６号公報
【考案の概要】
【考案が解決しようとする課題】
【０００８】
本考案は、このような事情に鑑みてなされたもので、飛距離がある程度でて吹矢の本来の醍醐味が味わえると共に安全性も担保できる吹矢に適した的を提供することを目的とする。
【課題を解決するための手段】
【０００９】
本考案は、吹矢の的であって、壁に取り付けられ、当該壁から所定距離離間した保持部を有する固定具と、前記保持部で保持されると共に表面と裏面とからなるシート状部材と、からなり、前記シート状部材には吹矢を受け入れるための少なくとも１つの貫通孔が形成され、前記裏面には前記貫通孔に被さるように有底状の袋体が取り付けられていて、当該袋体は前記貫通孔で受け入れられた吹矢を収容し、上記所定距離は当該吹矢が飛来してきたときに当該袋体で吹矢を収容可能とする距離からなる、的、からなる。
【００１０】
本考案によれば、前記固定具によって前記シート状部材は吹矢が飛来してきたときに前記袋体で吹矢を収容可能とする距離だけ前記壁から離間した状態で当該壁と平行して取り付けられる。これによって、飛来してきた吹矢は壁に当たって跳ね返ることなく、前記貫通孔を介して前記袋体に収容される。
【００１１】
本考案は、吹矢の的であって、壁に取り付けられた取付具と、前記取付具に取り付けられた吊下げ部材と、前記取付具から前記吊下げ部材を介して吊下げられると共に脚部とフレーム部とを有し、当該脚部が壁に当接されると共に当該フレーム部が当該壁から所定距離離間した状態で当該壁と平行して位置づけられる保持具と、前記保持具に吊されると共に表面と裏面とからなるシート状部材と、からなり、前記シート状部材には吹矢を受け入れるための少なくとも１つの貫通孔が形成され、前記裏面には前記貫通孔に被さるように有底状の袋体が取り付けられていて、当該袋体は前記貫通孔で受け入れられた吹矢を収容し、上記所定距離は当該吹矢が飛来してきたときに当該袋体で吹矢を収容可能とする距離からなる、的、からなる。
【００１２】
本考案によれば、前記保持具が前記取付具から前記吊下げ部材を介して吊下げられ、前記脚部が壁に当接されることによって前記フレーム部が吹矢が飛来してきたときに前記袋体で吹矢を収容可能とする距離だけ前記壁から離間した状態で当該壁と平行して取り付けられる。これによって、飛来してきた吹矢は壁に当たって跳ね返ることなく、前記貫通孔を介して前記袋体に収容される。
【００１３】
本考案は、吹矢の的であって、脚部とフレーム部とを有し、当該脚部が壁に取り付けられると共に当該フレーム部が当該壁から所定距離離間した状態で当該壁と平行して位置づけられる保持具と、前記保持具に吊されると共に表面と裏面とからなるシート状部材と、からなり、前記シート状部材には吹矢を受け入れるための少なくとも１つの貫通孔が形成され、前記裏面には前記貫通孔に被さるように有底状の袋体が取り付けられていて、当該袋体は前記貫通孔で受け入れられた吹矢を収容し、上記所定距離は当該吹矢が飛来してきたときに当該袋体で吹矢を収容可能とする距離からなる、的、からなる。
【００１４】
本考案によれば、前記保持具の脚部が壁に取り付けられることによって前記フレーム部が吹矢が飛来してきたときに前記袋体で吹矢を収容可能とする距離だけ前記壁から離間した状態で当該壁と平行して取り付けられる。これによって、飛来してきた吹矢は壁に当たって跳ね返ることなく、前記貫通孔を介して前記袋体に収容される。
【００１５】
本考案によれば、前記シート状部材は布製である。本考案によれば、前記シート状部材は長方形からなる。
【００１６】
本考案によれば、前記貫通孔は円形である。
【００１７】
本考案によれば、前記シート状部材の表面において前記貫通孔の縁を同一幅で色付けし、当該色付けは当該貫通孔の等級毎に異なったものとし、同じ等級の貫通孔には同じ色で色付けする。
【００１８】
本考案によれば、前記袋体はメッシュ状の布製材料から形成されている。
【００１９】
本考案によれば、上記所定距離は１５ｃｍである。
【考案の効果】
【００２０】
本考案によれば、簡易な構成で吹矢の的を設けることができ、手軽にかつ安全に吹矢プレイを楽しむことができる。
【図面の簡単な説明】
【００２１】
【図１】本考案の的の外観図
【図２】本考案の的本体の裏面図
【図３】本考案の的本体の一部側面図
【図４】本考案の的に対して実際に吹矢を吹く姿勢を示した全体図
【図５】本考案の的の変形例を示した外観図
【考案を実施するための形態】
【００２２】
以下、添付図面に従って本考案の実施形態について詳説する。
【００２３】
図１は本考案の的３０の外観図である。的３０は壁３２に取り付ける。的３０は的本体２と、的本体２を壁３２に取り付けるための的固定具４０とからなる。的固定具４０はフック４、紐６、パイプ８、円盤１６からなる。パイプ８は、長パイプ１０、短パイプ１２、Ｌ字パイプ１４からなる。図１の的３０の的本体２はおもて面を示している。
【００２４】
壁３２にはフック４が取り付けられている。的本体２は布製で縦長の長方形をしている。的本体２の上部は折り返された状態で縫製されており、長パイプ１０及び紐６が貫通できるようになっている。的本体２の上部に長パイプ１０及び紐６を貫通させた状態で長パイプ１０の両端部にＬ字パイプ１４を連結させる。Ｌ字パイプ１４は直角に曲がっており、Ｌ字パイプ１４の、長パイプ１０を連結していないほうの端部にはそれぞれ短パイプ１２が連結されている。短パイプ１２の長さは１０ｃｍ〜２０ｃｍが適当であるが、約１５ｃｍが好ましい。短パイプ１２の壁３２側の端部には円盤１６がそれぞれ取り付けられている。円盤１６の裏面は壁３２に当接されている。的本体２の上部を貫通した紐６は短パイプ１２に掛け渡されてさらに両端部を結び、フック４に掛けられる。
【００２５】
的３０は紐６をフック４に掛けることによって重力方向に支持されているが、円盤１６によって的３０の壁方向へ支持されている。上記の構成により、的本体２は長パイプ１０から吊下げられた状態になっており、かつ、壁３２から約１５ｃｍ離れたところに位置した状態になっている。
【００２６】
的本体２には５つの貫通孔が形成されている。貫通孔はいずれも円形である。５つの貫通孔は、２つの大孔１８、２つの中孔２０、１つの小孔２２からなる。各貫通孔の縁にはその貫通孔に付与された得点が色づけで表示されている。本実施形態の場合、大孔１８は孔の縁が青色で色づけされていて３点が付与され、中孔２０は孔の縁が緑色で色づけされていて５点が付与され、小孔２２は孔の縁が赤色で色づけされていて７点が付与されるようになっている。
【００２７】
図２は的本体２の裏面図である。的本体２の裏面には各貫通孔に被さるように有底のメッシュ状の布の袋体２４、２６、２８が取り付けられている。この袋体２４、２６、２８で各貫通孔を介して飛来してきた吹矢を収容する。各袋体は各貫通孔の大きさに応じた大きさ及び長さを有し、大孔１８には大袋体２４、中孔２０には中袋体２６、小孔２２には小袋体２８がそれぞれ取り付けられている。袋体は直径が大きければ長さも長い構造になっている。
【００２８】
図３は的本体２の一部側面図であり、説明のために右側面視手前の２つの袋体、すなわち中袋体２６、大袋体２４のみを示している。図３に示すように、的本体２は壁３２から約１５ｃｍ離れた位置に取り付けられているので、飛来してきた吹矢は壁３２に当たって跳ね返ることはない。また、各袋体２４、２６、２８に吹矢が収容されても的本体２の裏面に位置する各袋体２４、２６、２８が占める空間は確保される。
【００２９】
本実施の形態の作用を説明する。
【００３０】
図４は、本実施形態の的３０に対して実際に人が吹矢を吹く姿勢を示した全体図である。人が筒３８の中に矢を格納させて的本体２に向かって勢いよく息を吹くと中の矢が飛びだし的本体２に向かって飛ぶ。５つの貫通孔のいずれかに入れば的中となり、上述のように貫通孔の種類によって得点が変わる。的本体２は壁３２から約１５ｃｍ離れた位置に取り付けられているので、矢が貫通孔に入って袋体に当たっても壁に跳ね返らずに袋体の中に収まる。
【００３１】
本実施形態の的を使用すれば、簡易な構成で吹矢の的を設けることができ、壁のあるところならどこでも手軽にかつ安全に吹矢を楽しむことができる。的本体２は布製なので折りたたむことができ、パイプ８も分解して長パイプ１０、短パイプ１２、Ｌ字パイプ１４に分けることができるので的固定具４０もコンパクトに収納できて便利である。
【００３２】
図５を用いて本実施形態の変形例を説明する。上記実施形態と同じ部材には同じ番号を付してその説明を省略する。
【００３３】
図５は本考案の的の変形例を示した外観図である。上記実施形態と異なる点は壁が鉄製の鉄壁３４からなり、円盤が磁石盤３６からなる点である。磁石盤３６は裏面に磁石が装着されており、鉄壁３４に磁着するようになっている。磁石盤３６を鉄壁３４に磁着させることによって、的４２を壁に固定させることができる。本変形例の的４２によれば、上記実施形態で用いたフック４や紐６を使用せずに済む。
【符号の説明】
【００３４】
２…的本体、４…フック、６…紐、８…パイプ、１０…長パイプ、１２…短パイプ、１４…Ｌ字パイプ、１６…円盤、１８…大孔、２０…中孔、２２…小孔、２４…大袋体、２６…中袋体、２８…小袋体、３０…的、３６…磁石盤、４０…的固定具、４２…的
【図１】
0003193327.tif 000003
【図２】
0003193327.tif 000004
【図３】
0003193327.tif 000005
【図４】
0003193327.tif 000006
【図５】
0003193327.tif 000007